【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
ピクチャの少なくとも一つの部分を、当該部分のための少なくとも２つの予測子の画素の差分に対して行われるブロック分割処理を使用して符号化する符号化器を備え、
前記符号化器は、復号器による前記部分の復号に使用するためのブロック分割情報をインプリシットに信号送信する、装置。
【請求項２】
前記符号化器は、前記復号器による前記部分の復号に使用するための前記少なくとも２つの予測子を信号送信する、請求項１に記載の装置。
【請求項３】
前記符号化器は、前記復号器による前記部分の復号に使用するための重みインデックスを信号送信する、請求項１に記載の装置。
【請求項４】
前記ブロック分割は、少なくとも１つの参照ピクチャにおける少なくとも１つのブロックに対して行われる、請求項１に記載の装置。
【請求項５】
前記ブロック分割は、エッジに基づく分割およびｋ平均法によるクラスタリングの少なくとも一方を使用して行われる、請求項１に記載の装置。
【請求項６】
前記ブロック分割の後に、前記符号化器は、前記少なくとも２つの予測子の前記画素の差分に対して後処理を適用してノイズを有するセグメントを除去し、空間情報を利用する、請求項１に記載の装置。
【請求項７】
各セグメントにつき、前記符号化器は、前記少なくとも２つの予測子のうちの少なくとも２つの予測子の各々のための対応する重みを算出し、さらに、重み付けされた予測子の和として、前記部分のための最終的な予測子を算出する、請求項１に記載の装置。
【請求項８】
前記符号化器は、前記少なくとも２つの動き情報の各々に関連付けられた動き情報とディスパリティ情報の少なくとも一方を信号送信する、請求項１に記載の装置。
【請求項９】
前記ピクチャは、マルチビュー・ビデオ・コンテンツに対応し、同じまたは類似のシーンに関して複数の異なる視点を有するピクチャのセットのうちの１つであり、前記ピクチャは、前記複数の異なる視点のうちの現在の視点を表し、前記少なくとも２つの予測子のうちの少なくとも一方は、前記複数の異なる視点のうちの現在の視点ではない、前記複数の異なる視点のうちの特定の視点に対応するインタービュー予測値であり、前記少なくとも２つの予測子のうちの少なくとも他方は、前記複数の異なる視点のうちの現在の視点に対応する時間的な予測値である、請求項１に記載の装置。
【請求項１０】
ピクチャの少なくとも一つの部分を、当該部分のための少なくとも２つの予測子の画素の差分に対して行われるブロック分割処理を使用して符号化するステップを含み、
前記符号化ステップは、復号器による前記部分の復号に使用するためのブロック分割情報をインプリシットに信号送信することを含む、方法。
【請求項１１】
前記符号化ステップは、前記復号器による前記部分の復号に使用するための前記少なくとも２つの予測子を信号送信するステップを含む、請求項１０に記載の方法。
【請求項１２】
前記符号化ステップは、前記復号器による前記部分の復号に使用するための重みインデックスを信号送信するステップを含む、請求項１０に記載の方法。
【請求項１３】
前記ブロック分割は、少なくとも１つの参照ピクチャにおける少なくとも１つのブロックに対して行われる、請求項１０に記載の方法。
【請求項１４】
前記ブロック分割は、エッジに基づく分割およびｋ平均法によるクラスタリングの少なくとも一方を使用して行われる、請求項１０に記載の方法。
【請求項１５】
前記ブロック分割の後に、前記少なくとも２つの予測子の前記画素の差分に対して後処理を適用してノイズを有するセグメントを除去し、空間情報を利用するステップをさらに含む、請求項１０に記載の方法。
【請求項１６】
各セグメントにつき、前記少なくとも２つの予測子のうちの各々のための対応する重みを算出し、さらに、重み付けされた予測子の和として、前記部分のための最終的な予測子を算出するステップを含む、請求項１０に記載の方法。
【請求項１７】
前記符号化ステップは、前記少なくとも２つの動き情報の各々に関連付けられた動き情報とディスパリティ情報の少なくとも一方を信号送信するステップを含む、請求項１０に記載の方法。
【請求項１８】
前記ピクチャは、マルチビュー・ビデオ・コンテンツに対応し、同じまたは類似のシーンに関して複数の異なる視点を有するピクチャのセットのうちの１つであり、前記ピクチャは、前記複数の異なる視点のうちの現在の視点を表し、前記少なくとも２つの予測子のうちの少なくとも一方は、前記複数の異なる視点のうちの現在の視点ではない、前記複数の異なる視点のうちの特定の視点に対応するインタービュー予測値であり、前記少なくとも２つの予測子のうちの少なくとも他方は、前記複数の異なる視点のうちの現在の視点に対応する時間的な予測値である、請求項１０に記載の方法。
【請求項１９】
ピクチャの少なくとも一つの部分を、当該部分のための少なくとも２つの予測子の画素の差分に対して行われるブロック分割処理を使用して復号する復号器を備え、
前記復号器は、インプリシットにブロック分割情報を決定する、装置。
【請求項２０】
前記ブロック分割情報は、少なくとも１つのシンタックス要素からインプリシットに決定される、請求項１９に記載の装置。
【請求項２１】
前記復号器は、当該復号器による前記部分の復号に使用するための前記少なくとも２つの予測子を示す信号を受信する、請求項１９に記載の装置。
【請求項２２】
前記復号器は、当該復号器による前記部分の復号に使用するための重みインデックスを受信する、請求項１９に記載の装置。
【請求項２３】
前記ブロック分割は、少なくとも１つの参照ピクチャにおける少なくとも１つのブロックに対して行われる、請求項１９に記載の装置。
【請求項２４】
前記ブロック分割は、エッジに基づく分割およびｋ平均法によるクラスタリングの少なくとも一方を使用して行われる、請求項１９に記載の装置。
【請求項２５】
前記ブロック分割の後に、前記復号器は、前記少なくとも２つの予測子の前記画素の差分に対して後処理を適用してノイズを有するセグメントを除去し、空間情報を利用する、請求項１９に記載の装置。
【請求項２６】
各セグメントにつき、前記復号器は、前記少なくとも２つの予測子のうちの各々のための対応する重みを算出し、さらに、重み付けされた予測子の和として、前記部分のための最終的な予測子を算出する、請求項１９に記載の装置。
【請求項２７】
前記復号器は、前記部分の復号に使用する前記少なくとも２つの予測子の各々に関連付けられた動き情報とディスパリティ情報の少なくとも一方を受信する、請求項１９に記載の装置。
【請求項２８】
前記ピクチャは、マルチビュー・ビデオ・コンテンツに対応し、同じまたは類似のシーンに関して複数の異なる視点を有するピクチャのセットのうちの１つであり、前記ピクチャは、前記複数の異なる視点のうちの現在の視点を表し、前記少なくとも２つの予測子のうちの少なくとも一方は、前記複数の異なる視点のうちの現在の視点ではない、前記複数の異なる視点のうちの特定の視点に対応するインタービュー予測値であり、前記少なくとも２つの予測子のうちの少なくとも他方は、前記複数の異なる視点のうちの現在の視点に対応する時間的な予測値である、請求項１９に記載の装置。
【請求項２９】
ピクチャの少なくとも一つの部分を、当該部分のための少なくとも２つの予測子の画素の差分に対して行われるブロック分割処理を使用することによって復号する復号ステップを含み、
前記復号ステップは、インプリシットにブロック分割情報を決定することを含む、方法。
【請求項３０】
前記ブロック分割情報は、少なくとも１つのシンタックス要素からインプリシットに決定される、請求項２９に記載の方法。
【請求項３１】
前記復号ステップは、前記復号器による前記部分の復号に使用するための前記少なくとも２つの予測子を示す信号を受信するステップを含む、請求項２９に記載の方法。
【請求項３２】
前記復号ステップは、前記復号器による前記部分の復号に使用するための重みインデックスを受信するステップを含む、請求項２９に記載の方法。
【請求項３３】
前記ブロック分割は、少なくとも１つの参照ピクチャにおける少なくとも１つのブロックに対して行われる、請求項２９に記載の方法。
【請求項３４】
前記ブロック分割は、エッジに基づく分割およびｋ平均法によるクラスタリングの少なくとも一方を使用して行われる、請求項２９に記載の方法。
【請求項３５】
前記ブロック分割の後に、前記復号器は、前記少なくとも２つの予測子の前記画素の差分に対して後処理を適用してノイズを有するセグメントを除去し、空間情報を利用するステップを含む、請求項２９に記載の方法。
【請求項３６】
各セグメントにつき、前記復号ステップは、前記少なくとも２つの予測子のうちの各々のための対応する重みを算出し、さらに、重み付けされた予測子の和として、前記部分のための最終的な予測子を算出するステップを含む、請求項２９に記載の方法。
【請求項３７】
前記復号ステップは、前記部分の復号に使用する前記少なくとも２つの予測子の各々に関連付けられた動き情報とディスパリティ情報の少なくとも一方を受信するステップを含む、請求項２９に記載の方法。
【請求項３８】
前記ピクチャは、マルチビュー・ビデオ・コンテンツに対応し、同じまたは類似のシーンに関して複数の異なる視点を有するピクチャのセットのうちの１つであり、前記ピクチャは、前記複数の異なる視点のうちの現在の視点を表し、前記少なくとも２つの予測子のうちの少なくとも一方は、前記複数の異なる視点のうちの現在の視点ではない、前記複数の異なる視点のうちの特定の視点に対応するインタービュー予測値であり、前記少なくとも２つの予測子のうちの少なくとも他方は、前記複数の異なる視点のうちの現在の視点に対応する時間的な予測値である、請求項２９に記載の方法。